(57)【特許請求の範囲】
【請求項１】
ＴＤＤ方式を採用する無線通信システムにおいて、無線基地局と無線端末との間で送受信される電波を中継する無線中継装置であって、
前記無線基地局と電波を送受信する基地局側通信部と、
前記無線基地局の送受信タイミングから反転させた送受信タイミングで前記無線端末と電波を送受信する端末側通信部と、
前記基地局側通信部が複数の無線基地局から受信する信号から、前記端末側通信部と同一周波数を使用する無線基地局からの受信信号についての、前記基地局側通信部における受信電力を抽出する基地局側制御部と、
前記端末側通信部の送信電力を設定する端末側制御部と
を備え、
前記端末側制御部は、該端末側制御部または前記基地局側制御部が所定のイベントを検出した場合に、前記基地局側制御部から前記受信電力を取得して、該受信電力に基づいて前記端末側通信部の送信電力を設定し、
前記所定のイベントの検出は、前記無線中継装置と前記無線基地局との間のアイドル状態から復帰またはハンドオーバの検出であることを特徴とする無線中継装置。
【請求項２】
請求項１に記載の無線中継装置であって、前記端末側制御部は、設定テーブルを含み、該設定テーブルにおける前記受信電力と前記送信電力との割り当てに応じて、前記受信電力に基づいて前記送信電力を設定することを特徴とする無線中継装置。
【請求項３】
請求項２に記載の無線中継装置であって、前記設定テーブルのパラメータは調整可能であることを特徴とする無線中継装置。
【請求項４】
請求項１乃至３のいずれか１項に記載の無線中継装置であって、前記所定のイベントの検出は、該無線中継装置と前記無線基地局との間の初期接続または再接続の検出であることを特徴とする無線中継装置。
【請求項５】
ＴＤＤ方式を採用する無線通信システムにおいて、無線基地局と無線端末との間で送受信されるデータを中継する無線中継装置の無線通信方法であって、該無線中継装置が、
前記無線基地局と電波を送受信する基地局側通信部と、
前記無線基地局の送受信タイミングから反転させた送受信タイミングで前記無線端末と電波を送受信する端末側通信部と
を備え、所定のイベントを検出した場合に、
複数の無線基地局から受信する信号から、前記端末側通信部と同一周波数を使用する無線基地局からの受信信号についての、前記基地局側通信部における受信電力を抽出するステップと、
抽出した前記受信電力に基づいて前記端末側通信部の送信電力を設定するステップと
を含み、
前記所定のイベントの検出は、前記無線中継装置と前記無線基地局との間のアイドル状態から復帰またはハンドオーバの検出であることを特徴とする無線通信方法。
【請求項６】
請求項５に記載の無線通信方法であって、前記設定するステップは、設定テーブルにおける前記受信電力と前記送信電力との割り当てに応じて、前記受信電力に基づいて前記送信電力を設定することを特徴とする無線通信方法。
【請求項７】
請求項６に記載の無線通信方法であって、さらに、前記設定テーブルのパラメータの調整を行うステップを含むことを特徴とする無線通信方法。
【請求項８】
請求項５乃至７のいずれか１項に記載の無線通信方法であって、前記所定のイベントの検出は、該無線中継装置と前記無線基地局との間の初期接続または再接続の検出であることを特徴とする無線通信方法。
【請求項９】
ＴＤＤ方式を採用する無線通信システムにおいて、無線基地局と無線端末との間で送受信される電波を中継する無線中継装置を制御するプロセッサであって、
前記無線基地局と電波を送受信する基地局側通信部と、
前記無線基地局の送受信タイミングから反転させた送受信タイミングで前記無線端末と電波を送受信する端末側通信部と、
前記基地局側通信部が複数の無線基地局から受信する信号から、前記端末側通信部と同一周波数を使用する無線基地局からの受信信号についての、前記基地局側通信部における受信電力を抽出する基地局側制御部と、
前記端末側通信部の送信電力を設定する端末側制御部と
を備え、
前記端末側制御部は、該端末側制御部または前記基地局側制御部が所定のイベントを検出した場合に、前記基地局側制御部から前記受信電力を取得して、該受信電力に基づいて前記端末側通信部の送信電力を設定し、
前記所定のイベントの検出は、前記無線中継装置と前記無線基地局との間のアイドル状態から復帰またはハンドオーバの検出であることを特徴とする無線中継装置を制御するプロセッサ。
【請求項１０】
請求項９に記載の無線中継装置を制御するプロセッサであって、前記端末側制御部は、設定テーブルを含み、該設定テーブルにおける前記受信電力と前記送信電力との割り当てに応じて、前記受信電力に基づいて前記送信電力を設定することを特徴とする無線中継装置を制御するプロセッサ。
【請求項１１】
請求項１０に記載の無線中継装置を制御するプロセッサであって、前記設定テーブルのパラメータの調整を行うことを特徴とする無線中継装置を制御するプロセッサ。
【請求項１２】
請求項９乃至１１のいずれか１項に記載の無線中継装置を制御するプロセッサであって、前記所定のイベントの検出は、該無線中継装置と前記無線基地局との間の初期接続または再接続の検出であることを特徴とする無線中継装置を制御するプロセッサ。
【発明の詳細な説明】
【関連出願へのクロスリファレンス】
【０００１】
本出願は、日本国特許出願２０１１−１８５２３０号（２０１１年８月２６日出願）の優先権を主張するものであり、当該出願の開示全体を、ここに参照のために取り込む。
【技術分野】
【０００２】
本発明は、無線中継装置および無線通信方法に関し、特に、ＴＤＤ（Time Division Duplex）方式を採用する無線通信システムにおける無線中継装置および無線通信方法に関するものである。
【背景技術】
【０００３】
無線端末が無線基地局と通信するためには、無線基地局からの無線電波が届く範囲（サービスエリア）に無線端末が位置する必要がある。しかし、山岳地帯や高層ビル等が建ち並ぶ市街地には障害物が多いため無線電波が届きにくい領域が存在する。また、屋外に設置された無線基地局からは、電波が届かない領域（例えば、建物の内部や地下）が多く存在する。特に、ＩＥＥＥ標準規格802.16eを基に規格化されたＷｉＭＡＸ（登録商標）（WiMAX：Worldwide Interoperability for Microwave Access）等の高速無線通信方式においては、２．５ＧＨｚ以上の周波数帯が使用されるが、このような高周波数帯の電波は直進性が強く障害物を回りこむ性質が弱いため、障害物の影響を強く受ける。このような電波が届かない領域をカバーするため、無線基地局と無線端末との間の無線電波を中継する無線中継装置（レピータ）が必要となる。【０００４】
無線中継装置は、サービスエリアを拡充できるという利点がある反面、無線中継装置が発する電波が他の電波との干渉を引き起こすという欠点がある。無線中継装置に起因する干渉の一つとして、無線中継装置内のドナーノード（基地局側ブロック）とサービスノード（端末側ブロック）との間の相互干渉が挙げられる。ここで、ドナーノードとは無線基地局とデータを送受信するブロックであり、サービスノードとは無線端末とデータを送受信するブロックである。【０００５】
図８に、ＴＤＤ方式を採用する無線通信システムにおいて、無線中継装置が通常の送受信タイミングで動作している場合の、ドナーノードとサービスノードとの間の相互干渉の様子を示す。ＴＤＤ方式とは、時間を細かく区分して送信と受信とを交互に高速に切り換える方式である。【０００６】
通常の送受信タイミング（以下、「通常タイミング」と称する）においては、無線基地局と無線中継装置のサービスノードとは送受信タイミングが揃っている。すなわち、第１期間においては、無線基地局は無線中継装置のドナーノードにダウンリンク（ＤＬ）データを送信し、無線中継装置のサービスノードは無線端末にダウンリンクデータを送信する。また、第２期間においては、無線基地局は無線中継装置のドナーノードからアップリンク（ＵＬ）データを受信し、無線中継装置のサービスノードは無線端末からアップリンクデータを受信する。【０００７】
無線中継装置が通常タイミングで動作している場合、第１期間においては、無線基地局からのダウンリンク信号を受信中のドナーノードは、サービスノードが無線端末に送信するダウンリンク信号による干渉を受ける。また、第２期間においては、無線端末からのアップリンク信号を受信中のサービスノードは、ドナーノードが無線基地局に送信するアップリンク信号による干渉を受ける。【０００８】
このような通常タイミング動作時の相互干渉を低減するための方法として、図９に示すような送受信タイミングで無線中継装置を動作させる方法が提案されている（例えば、特許文献１参照）。当該方法は、サービスノードの送受信タイミングを通常タイミングの場合の送受信タイミングから反転させた送受信タイミング（以下、「反転タイミング」と称する）とする方法である。【０００９】
このように、無線中継装置のドナーノードとサービスノードとを同じタイミングで送信させ、また同じタイミングで受信させることにより、通常タイミング動作時に問題となるドナーノードとサービスノードとの間の相互干渉を解消することができる。
【先行技術文献】
【特許文献】
【００１０】
【特許文献１】特開２０１０−５６７１１号公報
【発明の概要】
【発明が解決しようとする課題】
【００１１】
上述したように、無線中継装置を反転タイミングで動作させることにより、ドナーノードとサービスノードとの間の相互干渉を解消することができる。【００１２】
しかしながら、無線中継装置を反転タイミングで動作させた場合は、別の経路の干渉が発生する。図９に示すように、第２期間において無線基地局は無線中継装置のドナーノードからアップリンクデータを受信する。また、第２期間において、無線中継装置のサービスノードは、無線端末にダウンリンクデータを送信する。【００１３】
この際、サービスノードが送信する電波は通信確立中の無線端末だけではなく、周辺の無線基地局にも到達する。したがって、サービスノードが使用している周波数と同一の周波数によりドナーノードからアップリンク信号を受信している無線基地局（以下「同一周波数無線基地局」という）は、サービスノードの送信電波による干渉を受ける。【００１４】
サービスノードの送信電波による無線基地局への干渉は、無線基地局と無線中継装置との距離が離れている場合など、サービスノードの送信電波が無線基地局において十分に減衰する場合などは問題にならない。しかし、無線基地局と無線中継装置との距離が近い場合など、サービスノードの送信電波が十分に減衰せずに無線基地局に到達する場合は、干渉により無線基地局の受信信号を劣化させる。【００１５】
しかしながら、従来の無線中継装置は、起動後においてはサービスノードの送信電力が固定であるため、起動後の環境の変化等により、上記経路の干渉によって無線基地局の受信信号が劣化している場合に、当該受信信号の劣化を回避することができない。【００１６】
したがって、かかる点に鑑みてなされた本発明の目的は、反転タイミングで動作する無線中継装置において、サービスノードの送信電波の無線基地局への干渉による無線基地局の受信信号の劣化を防ぐことができる無線中継装置および無線通信方法を提供することにある。
【課題を解決するための手段】
【００１７】
上記目的を達成する第１の観点に係る無線中継装置の発明は、
ＴＤＤ方式を採用する無線通信システムにおいて、無線基地局と無線端末との間で送受信される電波を中継する無線中継装置であって、
前記無線基地局と電波を送受信する基地局側通信部と、
前記無線基地局の送受信タイミングから反転させた送受信タイミングで前記無線端末と電波を送受信する端末側通信部と、
前記基地局側通信部が複数の無線基地局から受信する信号から、前記端末側通信部と同一周波数を使用する無線基地局からの受信信号についての、前記基地局側通信部における受信電力を抽出する基地局側制御部と、
前記端末側通信部の送信電力を設定する端末側制御部と
を備え、
前記端末側制御部は、前記端末側制御部または前記基地局側制御部が所定のイベントを検出した場合に、前記基地局側制御部から前記受信電力を取得して、該受信電力に基づいて前記端末側通信部の送信電力を設定し、
前記所定のイベントの検出は、前記無線中継装置と前記無線基地局との間のアイドル状態から復帰またはハンドオーバの検出であることを特徴とする。
【００１８】
第２の観点に係る発明は、第１の観点に係る無線中継装置であって、前記端末側制御部は、設定テーブルを含み、該設定テーブルにおける前記受信電力と前記送信電力との割り当てに応じて、前記受信電力に基づいて前記送信電力を設定することを特徴とする。【００１９】
第３の観点に係る発明は、第２の観点に係る無線中継装置であって、前記設定テーブルのパラメータは調整可能であることを特徴とする。【００２０】
第４の観点に係る発明は、第１乃至第３のいずれか１つの観点に係る無線中継装置であって、前記所定のイベントの検出は、該無線中継装置と前記無線基地局との間の初期接続または再接続の検出であることを特徴とする。【００２２】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。【００２３】
例えば、本発明を方法として実現させた第５の観点に係る無線通信方法の発明は、
ＴＤＤ方式を採用する無線通信システムにおいて、無線基地局と無線端末との間で送受信されるデータを中継する無線中継装置の無線通信方法であって、該無線中継装置が、
前記無線基地局と電波を送受信する基地局側通信部と、
前記無線基地局の送受信タイミングから反転させた送受信タイミングで前記無線端末と電波を送受信する端末側通信部と
を備え、所定のイベントを検出した場合に、
複数の無線基地局から受信する信号から、前記端末側通信部と同一周波数を使用する無線基地局からの受信信号についての、前記基地局側通信部における受信電力を抽出するステップと、
抽出した前記受信電力に基づいて前記端末側通信部の送信電力を設定するステップと
を含み、
前記所定のイベントの検出は、前記無線中継装置と前記無線基地局との間のアイドル状態から復帰またはハンドオーバの検出であることを特徴とする。
【００２４】
第６の観点に係る発明は、第５の観点に係る無線通信方法であって、前記設定するステップは、設定テーブルにおける前記受信電力と前記送信電力との割り当てに応じて、前記受信電力に基づいて前記送信電力を設定することを特徴とする。
【００２５】
第７の観点に係る発明は、第６の観点に係る無線通信方法であって、さらに、前記設定テーブルのパラメータの調整を行うステップを含むことを特徴とする。
【００２６】
第８の観点に係る発明は、第５乃至７のいずれかの観点に係る無線通信方法であって、前記所定のイベントの検出は、該無線中継装置と前記無線基地局との間の初期接続または再接続の検出であることを特徴とする。
【００２８】
上記目的を達成する第９の観点に係る無線中継装置を制御するプロセッサの発明は、
ＴＤＤ方式を採用する無線通信システムにおいて、無線基地局と無線端末との間で送受信される電波を中継する無線中継装置を制御するプロセッサであって、
前記無線基地局と電波を送受信する基地局側通信部と、
前記無線基地局の送受信タイミングから反転させた送受信タイミングで前記無線端末と電波を送受信する端末側通信部と、
前記基地局側通信部が複数の無線基地局から受信する信号から、前記端末側通信部と同一周波数を使用する無線基地局からの受信信号についての、前記基地局側通信部における受信電力を抽出する基地局側制御部と、
前記端末側通信部の送信電力を設定する端末側制御部と
を備え、
前記端末側制御部は、該端末側制御部または前記基地局側制御部が所定のイベントを検出した場合に、前記基地局側制御部から前記受信電力を取得して、該受信電力に基づいて前記端末側通信部の送信電力を設定し、
前記所定のイベントの検出は、前記無線中継装置と前記無線基地局との間のアイドル状態から復帰またはハンドオーバの検出であることを特徴とする。
【００２９】
第１０の観点に係る発明は、第９の観点に係るプロセッサであって、前記端末側制御部は、設定テーブルを含み、該設定テーブルにおける前記受信電力と前記送信電力との割り当てに応じて、前記受信電力に基づいて前記送信電力を設定することを特徴とする。
【００３０】
第１１の観点に係る発明は、第１０の観点に係るプロセッサであって、前記設定テーブルのパラメータの調整を行うことを特徴とする。
【００３１】
第１２の観点に係る発明は、第９乃至１１のいずれかの観点に係るプロセッサであって、前記所定のイベントの検出は、該無線中継装置と前記無線基地局との間の初期接続または再接続の検出であることを特徴とする。
【発明の効果】
【００３３】
本発明によれば、反転タイミングで動作する無線中継装置において、サービスノードの送信電波の無線基地局への干渉による無線基地局の受信信号の劣化を防ぐことができる無線中継装置および無線通信方法を提供することができる。
【図面の簡単な説明】
【００３４】
【図１】本発明の一実施形態に係る無線通信システムの概略図である。
【図２】本発明の一実施形態に係る無線中継装置の概略構成を示す機能ブロック図である。
【図３】本発明の一実施形態に係る、送信電力の設定テーブルの例を示す図である。
【図４】本発明の一実施形態に係る無線中継装置においてサービスノードの送信電力を設定する処理を示すフローチャートである。
【図５】本発明の一実施形態に係る無線中継装置において、初期化時にサービスノードの周波数を決定するシーケンスを示す図である。
【図６】本発明の一実施形態に係る無線中継装置において、再接続時にサービスノードの周波数を決定するシーケンスを示す図である。
【図７】本発明の一実施形態に係る無線中継装置において、アイドル状態からの復帰時またはハンドオーバ時にサービスノードの周波数を決定するシーケンスを示す図である。
【図８】通常タイミングの送受信タイミングを示す図である。
【図９】反転タイミングの送受信タイミングを示す図である。
【発明を実施するための形態】
【００３５】
以下、本発明の一実施形態について、図面を参照して説明する。
【００３６】
図１は、本発明の一実施形態に係る無線通信システムの概略図である。無線通信システムは、無線基地局と無線端末と無線中継装置１０とから構成されている。無線中継装置１０は、無線基地局と無線端末との間で送受信されるデータを中継する。
【００３７】
図２は、本発明の一実施形態に係る無線中継装置の概略構成を示す機能ブロック図である。無線中継装置１０は、ドナーノード２０とサービスノード３０とを備える。
【００３８】
まず、ドナーノード２０の機能ブロックについて説明する。ドナーノード２０は、基地局側通信部２２と基地局側制御部２４とを備える。
【００３９】
基地局側通信部２２は、アンテナを介して無線基地局とデータを送受信する。ダウンリンクデータについては、基地局側通信部２２は、第１期間に無線基地局からダウンリンクデータを無線信号として受信する。基地局側通信部２２は、無線信号をダウンコンバートしてベースバンド信号に変換し端末側通信部３２に出力する。また、アップリンクデータについては、基地局側通信部２２は、端末側通信部３２からアップリンクデータをベースバンド信号として受け取る。基地局側通信部２２は、第２期間にベースバンド信号をアップコンバートして無線信号に変換し無線基地局へ送信する。第１期間と第２期間とは交互に繰り返され、それに伴い基地局側通信部２２は無線基地局との間でダウンリンクデータの受信とアップリンクデータの送信を繰り返し実行する。
【００４０】
また、基地局側通信部２２は、複数の周辺の無線基地局からの電波を受信する。なお、「周辺の無線基地局」との用語は、周辺の無線中継装置も含んだ意味で用いる。なぜなら、通常タイミングで動作する無線中継装置のサービスノードは、無線基地局と送受信のタイミングが同じであり同様の機能を持つからである。
【００４１】
基地局側制御部２４は、基地局側通信部２２をはじめとしてドナーノード２０の全体を制御する。基地局側制御部２４は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。
【００４２】
基地局側制御部２４は、無線中継装置１０と無線基地局との間の初期接続、再接続、アイドル状態からの復帰、または、ハンドオーバなどのイベント（以下、「所定のイベント」と称する）を検出すると、ドナーノード２０と無線基地局との接続を確立する処理を実行する。
【００４３】
ここで、「初期接続時」とは電源オンまたはリセット時などをいい、「再接続」とは無線中継装置１０と無線基地局との通信が何らかの原因により切断した後に再接続することをいう。また、「アイドル状態」とはデータの送受信を停止してパワーセービングしている状態をいい、「ハンドオーバ」の用語は通常の意味で用いている。
【００４４】
基地局側制御部２４は、ドナーノード２０と無線基地局との接続を確立する際にドナーノード２０の周波数を決定する。基地局側制御部２４は、決定したドナーノード２０の周波数を端末側制御部３４に通知する。また、基地局側制御部２４は、端末側制御部３４がドナーノード２０の周波数に基づいて決定したサービスノード３０の周波数を端末側制御部３４から取得する。
【００４５】
基地局側制御部２４は、取得したサービスノード３０の周波数に基づいて、基地局側通信部２２が複数の周辺の無線基地局から受信した信号の中から同一周波数無線基地局からの受信電力Ｐｒを抽出する。
【００４６】
続いて、サービスノード３０の機能ブロックについて説明する。サービスノード３０は、端末側通信部３２と端末側制御部３４とを備える。
【００４７】
端末側通信部３２は、アンテナを介して無線端末とデータを送受信する。端末側通信部３２は、ドナーノード２０とサービスノード３０との間の相互干渉を解消するため、反転タイミングにより無線端末とデータを送受信する。
【００４８】
端末側通信部３２は、第１期間に無線端末からアップリンクデータを受信し、第２期間に無線端末へダウンリンクデータを送信する。第１期間と第２期間とは交互に繰り返され、それに伴い端末側通信部３２は無線端末との間でアップリンクデータの受信とダウンリンクデータの送信を繰り返し実行する。
【００４９】
端末側通信部３２は、ダウンリンクデータについては、基地局側通信部２２からダウンリンクデータをベースバンド信号として受け取り、アップコンバートして無線信号に変換して無線端末に送信する。
【００５０】
端末側通信部３２は、アップリンクデータについては、無線端末からアップリンクデータを無線信号として受信し、ダウンコンバートしてベースバンド信号に変換して基地局側通信部２２に出力する。
【００５１】
端末側制御部３４は、端末側通信部３２をはじめとしてサービスノード３０の全体を制御する。端末側制御部３４は、ＣＰＵ等の任意の好適なプロセッサ上で実行されるソフトウェアとして構成したり、処理ごとに特化した専用のプロセッサ（例えばＤＳＰ）によって構成したりすることもできる。なお、本実施形態においては、ドナーノード２０が基地局側制御部２４を備え、サービスノード３０が端末側制御部３４を備えるというように、ドナーノード２０およびサービスノード３０の各々が制御部を備える構成として説明したが、本発明は、この構成に限定されるわけではない。例えば、ドナーノード２０とサービスノード３０とを１つの制御部で制御する構成とすることもできる。
【００５２】
端末側制御部３４は、所定のイベントを検出すると、サービスノード３０と無線端末との接続を確立する処理を実行する。この際、端末側制御部３４は、所定のイベントに際して基地局側制御部２４が決定したドナーノード２０の周波数に基づいてサービスノード３０の周波数を決定する。
【００５３】
端末側制御部３４は、所定のイベントを検出すると、基地局側制御部２４が抽出した同一周波数無線基地局からの受信電力Ｐｒを基地局側制御部２４から取得し、当該受信電力Ｐｒに基づいて端末側通信部３２の送信電力Ｐｔを設定する。
【００５４】
例えば、端末側制御部３４は、同一周波数無線基地局からの受信電力Ｐｒが大きい場合は、無線中継装置１０と同一周波数無線基地局との距離が近く、干渉により同一周波数無線基地局の受信信号を劣化させ得ると判断し、送信電力Ｐｔを小さい値に設定する。また、端末側制御部３４は、同一周波数無線基地局からの受信電力Ｐｒが小さい場合は、無線中継装置１０と同一周波数無線基地局との距離が遠く、干渉により同一周波数無線基地局の受信信号を劣化させないと判断し、送信電力Ｐｔを大きい値に設定する。なお、受信電力Ｐｒに基づく送信電力Ｐｔの設定方法は、通信環境等に応じて様々なケースがあり得るものであり、上述の説明はあくまでも一例である。
【００５５】
図３に、端末側制御部３４が同一周波数無線基地局からの受信電力Ｐｒに基づいて端末側通信部３２の送信電力Ｐｔを設定する際の設定テーブルの例を示す。図３に示す設定テーブルは、同一周波数無線基地局からの受信電力Ｐｒを５段階に分け、それぞれの範囲に送信電力Ｐｔの設定値を割り当てている。例えば、同一周波数無線基地局からの受信電力Ｐｒが、Ａ≦Ｐｒ［ｄＢｍ］の場合は、端末側制御部３４は、端末側通信部３２の送信電力ＰｔをＶ［ｄＢｍ］に設定する。
【００５６】
端末側制御部３４は、図３に示したような設定テーブルに基づいて端末側通信部３２の送信電力Ｐｔを設定するが、受信電力Ｐｒの範囲を決めるＡ〜Ｄなどのようなパラメータ、また、送信電力Ｐｔの設定値Ｖ〜Ｚなどのようなパラメータは調整可能であり、予め適切な値に調整しておくことにより適切に送信電力Ｐｔの設定をすることができる。
【００５７】
図４のフローチャートを参照しながら、無線中継装置１０が端末側通信部３２の送信電力Ｐｔを設定する処理を説明する。
【００５８】
基地局側制御部２４および端末側制御部３４は、所定のイベントを定期的に監視する（ステップＳ１０１）。所定のイベントを検出した場合、基地局側制御部２４は、ドナーノード２０の周波数を決定し、ドナーノード２０と無線基地局との接続を確立する（ステップＳ１０２）。端末側制御部３４は、ドナーノード２０の周波数を基地局側制御部２４から取得してサービスノード３０の周波数を決定し、サービスノード３０と無線基地局との接続を確立する（ステップＳ１０３）。
【００５９】
基地局側通信部２２は、複数の周辺の無線基地局からの電波を受信する（ステップＳ１０４）。基地局側制御部２４は、基地局側通信部２２が受信している信号から、サービスノード３０と同一の周波数を利用する同一周波数無線基地局からの受信電力Ｐｒを抽出する（ステップＳ１０５）。
【００６０】
端末側制御部３４は、同一周波数無線基地局からの受信電力Ｐｒを基地局側制御部２４から取得し、当該受信電力Ｐｒに基づいて端末側通信部３２の送信電力Ｐｔを設定する（ステップＳ１０６）。
【００６１】
図５に、初期接続時に無線中継装置１０がサービスノード３０の周波数を決定するシーケンスを示す。
【００６２】
電源オンまたはリセットなどにより、サービスノード３０およびドナーノード２０が初期化されると、ドナーノード２０の基地局側制御部２４は、無線基地局との接続処理を開始し、ドナーノード２０の周波数を決定する。
【００６３】
サービスノード３０の端末側制御部３４は、基地局側制御部２４からドナーノード２０の周波数の通知を受け、サービスノード３０の周波数を決定する。
【００６４】
図６に、再接続時に無線中継装置１０がサービスノード３０の周波数を決定するシーケンスを示す。
【００６５】
ドナーノード２０と無線基地局との間の通信が何らかの原因により切断すると、ドナーノード２０の基地局側制御部２４は、無線基地局との接続処理を開始し、ドナーノード２０の周波数を決定する。以後のシーケンスは図５と同様であるので説明を省略する。
【００６６】
図７に、アイドル状態からの復帰時またはハンドオーバ時に無線中継装置１０がサービスノード３０の周波数を決定するシーケンスを示す。
【００６７】
ドナーノード２０と無線基地局との間で、アイドル状態からの復帰またはハンドオーバのイベントが発生すると、ドナーノード２０の基地局側制御部２４は、無線基地局との接続処理を開始し、ドナーノード２０の周波数を決定する。以後のシーケンスは図５と同様であるので説明を省略する。
【００６８】
このように、本実施形態によれば、無線中継装置１０は、所定のイベント発生時に、同一周波数無線基地局からの受信電力Ｐｒを抽出し、当該受信電力Ｐｒに基づいて端末側通信部３２の送信電力Ｐｔを設定することにより、同一周波数無線基地局の受信信号が劣化することを防ぐことができる。
【００６９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【符号の説明】
【００７０】
１０  無線中継装置
２０  ドナーノード
２２  基地局側通信部
２４  基地局側制御部
３０  サービスノード
３２  端末側通信部
３４  端末側制御部
【図１】
0005639716.tif 000002
【図２】
0005639716.tif 000003
【図３】
0005639716.tif 000004
【図４】
0005639716.tif 000005
【図５】
0005639716.tif 000006
【図６】
0005639716.tif 000007
【図７】
0005639716.tif 000008
【図８】
0005639716.tif 000009
【図９】
0005639716.tif 000010